(57)【要約】  【課題】  ユーザの過去及び未来を一括して管理できる過去未来管理システムを提供することである。  【解決手段】  パーソナルサイトを通じて日々の記録や予定が入力されると、ステップＳ７にて、ＰＣ５は、日々の記録や予定をセンタサーバ１へ送信する。センタサーバ１は、日々の記録や予定を、会員データベース３５の当該ユーザに割り当てられた領域に格納する。ステップＳ９にて、ＰＣ５が、記録の加工や暦をリクエストすると、ステップＳ１１にて、センタサーバ１は、必要なデータを会員データベース３５から取得し、記録や予定が記載された暦の作成やグラフ等への加工を行って、ＰＣ５に送信する。これにより、ユーザは、日々の記録や予定をビジュアル化したものを見ることができる。【選択図】  図１
2008059535.tif 000002
【特許請求の範囲】
【請求項１】
第１の暦を含むページを生成し、ネットワークを介して、ユーザ端末に送信する第１の暦生成手段と、
前記ユーザ端末から前記第１の暦を含むページを通じて入力され、前記ネットワークを介して送信されたユーザの日々の記録を受信して、該当する時に関連付けて蓄積する第１の蓄積手段と、
前記ユーザ端末からのリクエストに応答して、前記蓄積手段に蓄積された過去から現在までの記録のうち、前記リクエストにより指示された期間の記録を可視化して、前記ユーザ端末に送信する可視化手段と、
前記第１の暦と実質的に同一形式の第２の暦を含むページを生成し、前記ネットワークを介して、前記ユーザ端末に送信する第２の暦生成手段と、
前記ユーザ端末から前記第２の暦を含むページを通じて入力され、前記ネットワークを介して送信されたユーザの日々の予定を受信して、該当する時に関連付けて蓄積する第２の蓄積手段と、を備え、
前記第１の暦生成手段は、受信した記録の内容を、前記第１の暦の、前記記録が関連付けられた時に対応する位置に記載し、
前記第２の暦生成手段は、受信した予定の内容を、前記第２の暦の、前記予定が関連付けられた時に対応する位置に記載し、
前記第１の暦を含むページは、前記第２の暦を含むページへの第１のリンクを含み、
前記第２の暦を含むページは、前記第１の暦を含むページへの第２のリンクを含む、過去未来管理システム。
【発明の詳細な説明】
【技術分野】
【０００１】
本発明は、個人の過去及び未来を管理する過去未来管理システム及びその関連技術に関する。
【背景技術】
【０００２】
非特許文献１は、代表的なポータルサイトの例である。ポータルサイトは、インターネットに接続したときに、ウェブブラウザで最初にアクセスされるウェブサイトのことである。非特許文献１のポータルサイトは、ログインなしで誰もが利用できる、言わばパブリックサイトである。
【０００３】
このパブリックサイトから個人がログインすることにより、個人専用のサイトを利用できる。この個人専用のサイトは、言わばパーソナルサイトである。このパーソナルサイトは、個人の予定を書き込むことができるスケジューラを提供している。
【０００４】
【非特許文献１】ヤフー株式会社、［ｏｎｌｉｎｅ］、１９９６年４月サービス提供開始、インターネット＜ｈｔｔｐ：／／ｗｗｗ．ｙａｈｏｏ．ｃｏ．ｊｐ＞
【発明の開示】
【発明が解決しようとする課題】
【０００５】
しかしながら、上記スケジューラは、ユーザの日々の予定、つまり未来を管理するのみである。
【０００６】
そこで、本発明の目的は、ユーザの過去及び未来を一括して管理できる過去未来管理システム及びその関連技術を提供することである。
【課題を解決するための手段】
【０００７】
本発明の観点によれば、過去未来管理システムは、第１の暦を含むページを生成し、ネットワークを介して、ユーザ端末に送信する第１の暦生成手段と、前記ユーザ端末から前記第１の暦を含むページを通じて入力され、前記ネットワークを介して送信されたユーザの日々の記録を受信して、該当する時に関連付けて蓄積する第１の蓄積手段と、前記ユーザ端末からのリクエストに応答して、前記蓄積手段に蓄積された過去から現在までの記録のうち、前記リクエストにより指示された期間の記録を可視化して、前記ユーザ端末に送信する可視化手段と、前記第１の暦と実質的に同一形式の第２の暦を含むページを生成し、前記ネットワークを介して、前記ユーザ端末に送信する第２の暦生成手段と、前記ユーザ端末から前記第２の暦を含むページを通じて入力され、前記ネットワークを介して送信されたユーザの日々の予定を受信して、該当する時に関連付けて蓄積する第２の蓄積手段と、を備え、前記第１の暦生成手段は、受信した記録の内容を、前記第１の暦の、前記記録が関連付けられた時に対応する位置に記載し、前記第２の暦生成手段は、受信した予定の内容を、前記第２の暦の、前記予定が関連付けられた時に対応する位置に記載し、前記第１の暦を含むページは、前記第２の暦を含むページへの第１のリンクを含み、前記第２の暦を含むページは、前記第１の暦を含むページへの第２のリンクを含む。
【０００８】
この構成によれば、第１の暦を介して日々の記録（つまり過去の情報）が蓄積され、しかも、その記録が可視化される。従って、ユーザは、直感的に自分の過去の日々の記録の推移などを認識できる。このため、ユーザは、記録の可視化によって分かったことを自分の生活に反映することができる。加えて、ユーザは、第２の暦を介して日々の予定（つまり未来の情報）を容易に把握できる。
【０００９】
また、第１の暦と第２の暦とは、実質的に同一形式の暦であるため、双方を使うユーザにとって、使い勝手が良い。つまり、記載内容の確認やデータ（記録及び予定）の入力の利便性が高くなる。ちなみに、両者の形式が異なっている場合、例えば、第１の暦が週暦で第２の暦が月暦のような場合は、利便性が良いとは言えない。
【００１０】
以上のように、ユーザは、自分の記録や予定を入力するだけで、本システムに自分自身の過去及び未来を一括して管理させることができる。
【００１１】
ここで、記録とは、ユーザに関連するあらゆる情報を意味し、それはユーザによって任意に決定されることができ、例えば、ユーザの身体（内部及び外部）に関する情報、ユーザの生活（仕事、趣味、及び生活習慣を含む。）に関する情報、ユーザに関連する物（無生物及び生物を含む。）に関する情報、等が含まれる。
【発明を実施するための最良の形態】
【００１２】
以下、本発明の実施の形態について、図面を参照しながら説明する。なお、図中、同一または相当部分については同一の参照符号を付してその説明を援用する。
【００１３】
図１は、本発明の実施の形態による過去未来管理システム１０の構成を示す図である。図１を参照して、このシステム１０は、会員データベース３５及びセンタサーバ１を含む。センタサーバ１には、会員データベース３５が接続される。センタサーバ１と、携帯電話３及びパーソナルコンピュータ（ＰＣ）５等の通信端末と、はネットワークＮＷを介して相互に接続される。なお、以下の説明では、通信端末として、ＰＣ５を使用する例を挙げる。もちろん、ＰＣ５に代えて、携帯電話３を使用してもよく、その場合の処理は、ＰＣ５を用いる場合と同様である。
【００１４】
図１を用いて、実施の形態による過去未来管理システム１０の概要を説明する。ＰＣ５からのリクエストに応答して、ステップＳ１にて、センタサーバ１は、ログインなしにアクセスできるパブリックサイトを表示するための情報（例えばＨＴＭＬ情報）をＰＣ５に送信する。応じて、ＰＣ５には、パブリックサイトが表示される。
【００１５】
ステップＳ３にて、ＰＣ５は、ユーザの入力に応じて、パブリックサイトを介して、ログイン情報（ユーザＩＤ及びパスワード）をセンタサーバ１へ送信する。すると、ステップＳ５にて、センタサーバ１は、当該ユーザのためのパーソナルサイトを表示するための情報（例えばＨＴＭＬ情報）をＰＣ５に送信する。応じて、ＰＣ５には、パーソナルサイトが表示される。
【００１６】
ユーザが、パーソナルサイトを通じて日々の記録や予定を入力すると、ステップＳ７にて、ＰＣ５は、入力された日々の記録や予定をセンタサーバ１へ送信する。センタサーバ１は、受信した日々の記録や予定を、会員データベース３５の当該ユーザに割り当てられた領域に格納する。このような処理が繰り返され、ユーザの日々の記録や予定が、会員データベース３５に蓄積される。そして、ステップＳ９にて、ユーザの操作に応答して、ＰＣ５が、記録の加工や暦をリクエストすると、ステップＳ１１にて、センタサーバ１は、必要なデータ（当該ユーザの日々の記録や予定）を会員データベース３５から取得し、記録や予定が記載された暦の作成やグラフ等への加工を行って、ＰＣ５に送信する。これにより、ユーザは、日々の記録や予定をビジュアル化したものを見ることができる。
【００１７】
図２は、図１のセンタサーバ１とＰＣ５との間の通信手順を示す図である。図２を参照して、ステップＳ２０にて、ＰＣ５は、ブラウザを起動して、センタサーバ１へアクセスする。すると、ステップＳ５０にて、センタサーバ１は、パブリックサイトを表示するための情報をＰＣ５に送信する。応じて、ステップＳ２２にて、ＰＣ５は、受信した情報に基づいてパブリックサイトを表示する。
【００１８】
ステップＳ２４にて、ＰＣ５は、パブリックサイト上のログインボタンが押されたか否かを判断し、ＮＯの場合ステップＳ２６に進み、ＹＥＳの場合ログインボタンが押されたことを示す情報をセンタサーバ１へ送信する。ステップＳ２６では、ＰＣ５は、パブリックサイト上のリンクボタンが押されたか否かを判断し、ＮＯの場合ステップＳ２２に戻り、ＹＥＳの場合ステップＳ２８に進んで、リンク先のサイトにアクセスして、そのサイトを表示する。
【００１９】
一方、ステップＳ５２では、ログインボタンが押下されたことに応答して、センタサーバ１は、ログイン画面を表示するための情報をＰＣ５に送信する。応じて、ステップＳ３０にて、ＰＣ５は、受信した情報に基づいてログイン画面を表示する。ユーザがこのログイン画面を通じて、ユーザＩＤとパスワードを入力すると、ステップＳ３２にて、ＰＣ５は、これらの情報をセンタサーバ１へ送信する。
【００２０】
センタサーバ１は、ユーザＩＤとパスワードを受け取って、ステップＳ５４にて、その正当性を確認する。センタサーバ１は、ユーザＩＤとパスワードが正当でない場合は警告メッセージをＰＣ５に送った後、ログイン画面の送信前の状態に戻り、ユーザＩＤとパスワードが正当である場合はステップＳ５６に進む。ステップＳ５６では、センタサーバ１は、当該ユーザのためのパーソナルサイトを表示するための情報をＰＣ５に送信する。応じて、ステップＳ３４にて、ＰＣ５は、受信した情報に基づいてパーソナルサイトを表示する。
【００２１】
ステップＳ３６では、パーソナルサイトを通じたユーザからの入力に応じて、ＰＣ５は、必要な処理及びセンタサーバ１との間のデータの送受信を行う。ステップＳ５８では、センタサーバ１は、ＰＣ５からのアクセスに応じて、必要な処理及びＰＣ５との間のデータの送受信を行う。
【００２２】
次に、ステップＳ３６及びステップＳ５８での処理、つまり、パーソナルサイトでの処理の詳細を説明する。
【００２３】
図３は、実施の形態によるパーソナルサイトにおける画面遷移を示す図である。図３を参照して、ステップＳ９０にて、ＰＣ５が図４のパブリックサイト５０を介して正当なログイン情報をセンタサーバ１へ与えると、ステップＳ１０１にて、センタサーバ１は、パーソナルサイトのトップページである図５の月暦画面５４を表示するための情報をＰＣ５に送信する。応じて、ＰＣ５は、受信した情報に基づいて月暦画面５４を表示する。
【００２４】
図４を参照して、パブリックサイトのトップページ５０は、検索エンジン、様々なリンク、及びログインボタン５２を含む。図５を参照して、パーソナルサイトの月暦画面５４は、月単位の暦（月暦）５６、６個のボタン７４、４個の暦単位切替ボタン７２、入力タイプ選択欄６８、入力項目選択欄７０、グラフボタン６６、暦後進ボタン３７、及び暦前進ボタン３８を含む。
【００２５】
アカウントのボタン７４が押下された場合は、ユーザの登録内容を確認及び修正するためのページが表示される。ウォレットのボタン７４が押下された場合は、プリペイドカードに記された番号を入力するためのページが表示される。この画面を通じて、プリペイドカードに記された番号を入力することより、本システムの有料サービスを受ける場合に必要になるポイントがユーザに与えられる。
【００２６】
スケジュールのボタン７４が押下された場合は、ユーザの予定を管理するためのスケジューラが表示される。スケジューラは、後述の図６の年暦画面３６、図７の週暦画面６７、図５の月暦画面５４、及び図８の日暦画面８６と形式が同一の、年暦画面、週暦画面、月暦画面、及び日暦画面を切り替えて表示可能である。そして、これらの画面を通じて、ユーザの予定を入力できる。スケジューラは、５個のボタン７４と同じ５個のボタン７４を含む。
【００２７】
カラダログのボタン７４が押下された場合、図５の月暦画面５４が表示される。チェック＆バランスのボタン７４が押下された場合は、所定のトレーニング装置からの出力値を利用したサービスを提供するサイトが表示される。
【００２８】
ボタン１４が押下されると上記スケジューラのサイトが表示される。ボタン１５が押下されると、図５の月暦画面５４が表示される。
【００２９】
暦単位切替ボタン７２は、図６の年暦画面３６と、図７の週暦画面６７と、月暦画面５４と、図８の日暦画面８６と、の間の切り替えを行うためのボタンである。入力タイプ選択欄６８は、暦を通じて入力する情報のタイプを選択するためのものである。本実施の形態では、３つのタイプを用意している。第１のタイプの情報は、ユーザの身体に関する情報であり、第２のタイプの情報は、ユーザがトレーニング装置を使用して運動を行い、その結果トレーニング装置が算出したユーザの能力値であり、第３のタイプの情報は、ユーザが体感テレビゲーム装置を使用して行った運動の結果、体感テレビゲーム装置が算出したユーザの消費カロリである。第１〜第３のタイプは、入力タイプ選択欄６８において、プルダウンメニューとして表示される。
【００３０】
ここで、能力値とは、瞬発力、反射神経、巧緻性、敏捷性、脚力、及びリズム感等の身体の運動機能を表す値の他、記憶力、判断力、及び集中力等の脳の機能を表す値を含む。身体に関する情報とは、身長、体重、ウエスト、バスト、ヒップ、手首周り、二の腕周り、足首周り、大腿周り、頭囲、胸囲、座高、足のサイズ、及び首周り等の身体のサイズに関する情報の他、心拍数、脈拍数、血圧、血糖値、総コレステロール値、ＬＤＬコレステロール値、体脂肪率、及び基礎体温等の身体の内部の情報、並びに、就寝時刻、起床時刻、睡眠時間、運動時間、喫煙、及び飲酒等の生活習慣に関する情報を含む。
【００３１】
入力項目選択欄７０は、入力タイプ選択欄６８で「ユーザの身体に関する情報」を示すタイプが選択されている場合、身長、体重、ウエスト、バスト、ヒップ、手首周り、二の腕周り、足首周り、大腿周り、頭囲、胸囲、座高、足のサイズ、首周り、心拍数、脈拍数、血圧、血糖値、総コレステロール値、ＬＤＬコレステロール値、体脂肪率、基礎体温、就寝時刻、起床時刻、睡眠時間、運動時間、喫煙（何本）、及び飲酒（何杯）といった項目を、プルダウンメニューで選択できるように構成される。
【００３２】
また、入力項目選択欄７０は、入力タイプ選択欄６８で「ユーザの能力値」を示すタイプが選択されている場合、瞬発力、反射神経、巧緻性、敏捷性、脚力、リズム感、記憶力、判断力、及び集中力といった項目を、プルダウンメニューで選択できるように構成される。
【００３３】
さらに、入力項目選択欄７０は、入力タイプ選択欄６８で「ユーザの消費カロリ」を示すタイプが選択されている場合、体感テレビゲーム装置の名称を、プルダウンメニューで選択できるように構成される。
【００３４】
月暦画面５４のグラフボタン６６は、１月の入力データに対するグラフを表示するためのボタンである。この場合、グラフボタン６６が押された時に入力項目選択欄７０で選択されている項目の入力データがグラフ化される。
【００３５】
暦後進ボタン３７が押下されると、現在表示されている月暦画面５４が表す月の前の月（前月）を表す月暦画面５４が表示される。暦前進ボタン３８が押下されると、現在表示されている月暦画面５４が表す月の次の月（来月）を表す月暦画面５４が表示される。
【００３６】
月暦５６は、複数の矩形領域６４に分割され、各矩形領域６４は、その月を構成する各日に１対１に対応している。矩形領域６４は、対応する日を示す日付６２、書込みボタン６０、及び書込み済みボタン５８を含む。日付６２は、リンクボタンであり、これが押下されると、日付６２が示す日に対応する図８の日暦画面８６が表示される。書込みボタン６０が押下されると、図９の記録入力画面７６が表示される。書込み済みボタン５８は、日付６２が示す日において、すでに書込みがなされている場合に表示される。また、書込み済みボタン５８が押下されると、図８の日暦画面８６が表示される。
【００３７】
なお、上記したスケジューラの月暦画面の構成（形式）は、月暦画面５４の構成（形式）とほぼ（実質的に）同じである。ただし、スケジューラでは、入力タイプ選択欄６８、入力項目選択欄７０、及びグラフボタン６６は存在しない。
【００３８】
図３に戻って、ステップＳ１０１で月暦画面５４が表示されているとき、年を示す暦単位切替ボタン７２が押下されると、ステップＳ１０４にて、センタサーバ１は、図６の年暦画面３６を表示するための情報をＰＣ５に送信する。応じて、ＰＣ５は、年暦画面３６を表示する。
【００３９】
図６を参照して、年暦画面３６は、年単位の暦（年暦）８０、６個のボタン７４、４個の暦単位切替ボタン７２、暦後進ボタン３７、及び暦前進ボタン３８を含む。月暦画面５４と異なる点を中心に説明する。暦後進ボタン３７が押下されると、現在表示されている年暦画面３６が表す年の前の年（前年）を表す年暦画面３６が表示される。暦前進ボタン３８が押下されると、現在表示されている年暦画面３６が表す年の次の年（来年）を表す年暦画面３６が表示される。
【００４０】
年暦８０は、１月〜１２月までの月暦を含む。月暦のそれぞれは、月ボタン７９を含む。月ボタン７９は、対応する月を示す。また、月ボタン７９が押下されると、月ボタン７９が示す月に対応する図５の月暦画面５４が表示される。また、各週に対応して、三角形の週ボタン７５が設けられる。週ボタン７５が押下されると、週ボタン７５が示す週に対応する図７の週暦画面６７が表示される。
【００４１】
なお、上記したスケジューラの年暦画面の構成（形式）は、年暦画面３６の構成（形式）とほぼ（実質的に）同じである。
【００４２】
図３に戻って、ステップＳ１０１で月暦画面５４が表示されているとき、週を示す暦単位切替ボタン７２が押下されると、ステップＳ１０２にて、センタサーバ１は、図７の週暦画面６７を表示するための情報をＰＣ５に送信する。応じて、ＰＣ５は、週暦画面６７を表示する。
【００４３】
図７を参照して、週暦画面６７は、週単位の暦（週暦）８２、６個のボタン７４、４個の暦単位切替ボタン７２、暦後進ボタン３７、暦前進ボタン３８、入力タイプ選択欄６８、入力項目選択欄７０、及びグラフボタン６６を含む。月暦画面５４と異なる点を中心に説明する。暦後進ボタン３７が押下されると、現在表示されている週暦画面６７が表す週の前の週（先週）を表す週暦画面６７が表示される。暦前進ボタン３８が押下されると、現在表示されている週暦画面６７が表す週の次の週（来週）を表す週暦画面６７が表示される。
【００４４】
週暦８２には、１週の日付に対応して、日付欄８９が設けられる。各日付欄８９は、日付６２、書込みボタン６０、及び内容欄７１を含む。内容欄７１には、既に入力されたデータが記載される。なお、内容欄７１に記載されたデータは、リンクボタンになっており、それが押下されると、そのデータを修正するための図９の記録入力画面７６が表示される。
【００４５】
なお、上記したスケジューラの週暦画面の構成（形式）は、週暦画面６７の構成（形式）とほぼ（実質的に）同じである。ただし、スケジューラでは、入力タイプ選択欄６８、入力項目選択欄７０、及びグラフボタン６６は存在しない。また、内容欄７１には、スケジューラでは、その日の予定が記載される。
【００４６】
図３に戻って、ステップＳ１０１で月暦画面５４が表示されているとき、日を示す暦単位切替ボタン７２又は書込み済みボタン５８が押下されると、ステップＳ１０６にて、センタサーバ１は、図８の日暦画面８６を表示するための情報をＰＣ５に送信する。応じて、ＰＣ５は、日暦画面８６を表示する。
【００４７】
図８を参照して、日暦画面８６は、日単位の暦（日暦）８８、６個のボタン７４、４個の暦単位切替ボタン７２、暦後進ボタン３７、暦前進ボタン３８、入力タイプ選択欄６８、及び入力項目選択欄７０を含む。月暦画面５４と異なる点を中心に説明する。暦後進ボタン３７が押下されると、現在表示されている日暦画面８６が表す日の前の日（前日）を表す日暦画面８６が表示される。暦前進ボタン３８が押下されると、現在表示されている日暦画面８６が表す日の次の日（翌日）を表す日暦画面８６が表示される。
【００４８】
日暦８８には、１日の時間に対応して、時間欄４０が設けられる。各時間欄４０は、時間に対応して、書込みボタン６０、及び内容欄７１を含む。
【００４９】
なお、上記したスケジューラの日暦画面の構成（形式）は、日暦画面８６の構成（形式）とほぼ（実質的に）同じである。ただし、スケジューラでは、入力タイプ選択欄６８、及び入力項目選択欄７０は存在しない。また、内容欄７１には、スケジューラでは、その時間の予定が記載される。
【００５０】
図３に戻って、ステップＳ１０１で月暦画面５４が表示されているとき、書込みボタン６０が押下されると、ステップＳ１１２にて、センタサーバ１は、図９の記録入力画面７６を表示するための情報をＰＣ５に送信する。応じて、ＰＣ５は、記録入力画面７６を表示する。
【００５１】
図９を参照して、記録入力画面７６は、６個のボタン７４、日時欄８４、入力タイプ選択欄６８、入力項目選択欄７０、データ入力欄４６、書込みボタン７８、及び取り消しボタン８３を含む。日時欄８４は、年月日時がプルダウンメニューで選択できるように構成される。ただし、年月日はセンタサーバ１により入力される。データ入力欄４６には、入力項目選択欄７０で選択されている項目のデータがユーザにより入力される。そして、書込みボタン７８が押されるとデータ入力欄４６のデータがＰＣ５からセンタサーバ１へ送信され、そのデータはセンタサーバ１にセーブされる。そして、元の画面に戻る。取り消しボタン８３が押下されると、データ入力欄４６のデータはセンタサーバ１には送信されず破棄される。そして、元の画面に戻る。
【００５２】
なお、上記したスケジューラの予定入力画面の構成（形式）は、記録入力画面７６の構成（形式）と同様である。ただし、スケジューラでは、日時欄８４、入力タイプ選択欄６８、入力項目選択欄７０、及びデータ入力欄４６は存在しない。これらの代わりに、仕事での予定入力欄、プライベートでの予定入力欄、及び通院記録欄などが設けられる。
【００５３】
図３に戻って、ステップＳ１０１で月暦画面５４が表示されているとき、グラフボタン６６が押下されると、ステップＳ１０８にて、センタサーバ１は、図１０の月グラフ画面９０を表示するための情報をＰＣ５に送信する。応じて、ＰＣ５は、月グラフ画面９０を表示する。
【００５４】
図１０を参照して、月グラフ画面９０は、月単位のグラフ（月グラフ）９２、６個のボタン７４、グラフ後進ボタン１８、グラフ前進ボタン１９、月ボタン２２、週ボタン２１、入力タイプ選択欄６８、入力項目選択欄７０、及びグラフボタン６６を含む。
【００５５】
グラフ後進ボタン１８が押下されると、現在表示されている月グラフ画面９０が表す月の前の月（先月）の月グラフ９２を含む月グラフ画面９０が表示される。グラフ前進ボタン１９が押下されると、現在表示されている月グラフ画面９０が表す月の次の月（来月）の月グラフ９２を含む月グラフ画面９０が表示される。
【００５６】
月グラフ９２は、入力項目選択欄７０に示された項目の当該月の変化を示す。週ボタン２１が押下されると、当該月の最初の週のグラフ（週グラフ）を含む週グラフ画面（図示せず）が表示される。
【００５７】
週グラフ画面は、週グラフ、６個のボタン７４、グラフ後進ボタン１８、グラフ前進ボタン１９、月ボタン２２、週ボタン２１、入力タイプ選択欄６８、入力項目選択欄７０、及びグラフボタン６６を含む。グラフ後進ボタン１８が押下されると、現在表示されている週グラフ画面が表す週の前の週（先週）の週グラフを含む週グラフ画面が表示される。グラフ前進ボタン１９が押下されると、現在表示されている週グラフ画面が表す週の次の週（来週）の週グラフを含む週グラフ画面が表示される。週グラフは、入力項目選択欄７０に示された項目の当該週の変化を示す。月ボタン２２が押下されると、当該週を含む月の月グラフ９２を含む月グラフ画面９０が表示される。
【００５８】
図３に戻って、ステップＳ１０６で日暦画面８６が表示されているとき、書込みボタン６０が押下されると、ステップＳ１１２にて、センタサーバ１は、記録入力画面７６を表示するための情報を生成し、これに基づいて、ＰＣ５は、記録入力画面７６を表示する。ステップＳ１０６で日暦画面８６が表示されているとき、月を示すボタン７２が押下されると、ステップＳ１０１にて、センタサーバ１は、月暦画面５４を表示するための情報を生成し、これに基づいて、ＰＣ５は、月暦画面５４を表示する。ステップＳ１０６で日暦画面８６が表示されているとき、年を示すボタン７２が押下されると、ステップＳ１０４にて、センタサーバ１は、年暦画面３６を表示するための情報を生成し、これに基づいて、ＰＣ５は、年暦画面３６を表示する。ステップＳ１０６で日暦画面８６が表示されているとき、週を示すボタン７２が押下されると、ステップＳ１０２にて、センタサーバ１は、週暦画面６７を表示するための情報を生成し、これに基づいて、ＰＣ５は、週暦画面６７を表示する。
【００５９】
ステップＳ１０４で年暦画面３６が表示されているとき、月を示すボタン７２が押下されると、ステップＳ１０１にて、センタサーバ１は、月暦画面５４を表示するための情報を生成し、これに基づいて、ＰＣ５は、月暦画面５４を表示する。ステップＳ１０４で年暦画面３６が表示されているとき、日を示すボタン７２が押下されると、ステップＳ１０６にて、センタサーバ１は、日暦画面８６を表示するための情報を生成し、これに基づいて、ＰＣ５は、日暦画面８６を表示する。ステップＳ１０４で年暦画面３６が表示されているとき、週を示すボタン７２が押下されると、ステップＳ１０２にて、センタサーバ１は、週暦画面６７を表示するための情報を生成し、これに基づいて、ＰＣ５は、週暦画面６７を表示する。
【００６０】
ステップＳ１０２で週暦画面６７が表示されているとき、書込みボタン６０が押下されると、ステップＳ１１２にて、センタサーバ１は、記録入力画面７６を表示するための情報を生成し、これに基づいて、ＰＣ５は、記録入力画面７６を表示する。ステップＳ１０２で週暦画面６７が表示されているとき、月を示すボタン７２が押下されると、ステップＳ１０１にて、センタサーバ１は、月暦画面５４を表示するための情報を生成し、これに基づいて、ＰＣ５は、月暦画面５４を表示する。ステップＳ１０２で週暦画面６７が表示されているとき、日を示すボタン７２が押下されると、ステップＳ１０６にて、センタサーバ１は、日暦画面８６を表示するための情報を生成し、これに基づいて、ＰＣ５は、日暦画面８６を表示する。ステップＳ１０２で週暦画面６７が表示されているとき、年を示すボタン７２が押下されると、ステップＳ１０４にて、センタサーバ１は、年暦画面３６を表示するための情報を生成し、これに基づいて、ＰＣ５は、年暦画面３６を表示する。ステップＳ１０２で週暦画面６７が表示されているとき、グラフボタン６６が押下されると、ステップＳ１１０にて、センタサーバ１は、週グラフ画面を表示するための情報をＰＣ５に送信する。応じて、ＰＣ５は、週グラフ画面を表示する。
【００６１】
ステップＳ１０８で月グラフ画面９０が表示されているとき、カラダログボタン１５が押下されると、ステップＳ１０１にて、センタサーバ１は、月暦画面５４を表示するための情報を生成し、これに基づいて、ＰＣ５は、月暦画面５４を表示する。ステップＳ１０８で月グラフ画面９０が表示されているとき、週ボタン２１が押下されると、ステップＳ１１０にて、センタサーバ１は、週グラフ画面を表示するための情報をＰＣ５に送信する。応じて、ＰＣ５は、週グラフ画面を表示する。
【００６２】
ステップＳ１１０で週グラフ画面が表示されているとき、カラダログボタン１５が押下されると、ステップＳ１０１にて、センタサーバ１は、月暦画面５４を表示するための情報を生成し、これに基づいて、ＰＣ５は、月暦画面５４を表示する。ステップＳ１１０で週グラフ画面が表示されているとき、月ボタン２２が押下されると、ステップＳ１０８にて、センタサーバ１は、月グラフ画面９０を表示するための情報をＰＣ５に送信する。応じて、ＰＣ５は、月グラフ画面９０を表示する。
【００６３】
ステップＳ１１２で記録入力画面７６が表示されているとき、書込みボタン７８が押下されると、ＰＣ５は、データ入力欄４６に入力されたデータをセンタサーバ１へ送信する。センタサーバ１は、受信したデータを会員データベース３５に格納すると共に、記録入力画面７６の前の画面の種類に応じて、ステップＳ１０１（前の画面が月暦画面５４のとき）、ステップＳ１０２（前の画面が週暦画面６７のとき）、及びステップＳ１０６（前の画面が日暦画面８６のとき）のいずれかに進む。
【００６４】
なお、上記したスケジューラにおける画面遷移は、図３の画面遷移と同じである。
【００６５】
次に、暦の前進及び後進処理について説明する。
【００６６】
図１１は、実施の形態による暦ページ切り替え処理の流れを示すフローチャートである。図１１を参照して、ステップＳ３００にて、センタサーバ１は、暦後進ボタン３７又は暦前進ボタン３８が押下されたか否かを判断し、ＮＯの場合ステップＳ３００に戻り、ＹＥＳの場合ステップＳ３０２に進む。ステップＳ３０２にて、センタサーバ１は、暦後進ボタン３７が押下されたと判断したときはステップＳ３０６に進み、暦前進ボタン３８が押下されたと判断したときはステップＳ３０４に進む。ステップＳ３０６では、センタサーバ１は、１つ後進した暦を含む暦画面を作成して、ステップＳ３００に戻る。一方、ステップＳ３０４では、センタサーバ１は、１つ前進した暦を含む暦画面を作成して、ステップＳ３００に戻る。ここで、後進とは、日暦では前日、週暦では先週、月暦では先月、年暦では前年を指す。前進とは、日暦では翌日、週暦では来週、月暦では来月、年暦では来年を指す。
【００６７】
次に、図１のセンタサーバ１のハードウエア構成を図面を参照しながら説明する。
【００６８】
図１２は、図１のセンタサーバ１のハードウエア構成図である。図１２を参照して、センタサーバ１は、ディスプレイ１６、メモリ１２、ネットワークＮＷへの接続機能を有する通信部１３、キーボード・マウス２３、ハードディスク（ＨＤＤ）１７、ＣＤ−ＲＯＭドライブ２０、及びこれらに接続されたＣＰＵ１１を含む。ＣＰＵ１１は、ＨＤＤ１７に格納されたコンピュータプログラムをメモリ１２に展開して実行し、上記した処理及び下記の処理を実行する。このコンピュータプログラムは、ＣＤ−ＲＯＭ２４等に格納されて、ＣＤ−ＲＯＭドライブ２０で読み込まれ、ＨＤＤ１７に格納される。
【００６９】
次に、図１の過去未来管理システム１０の主要なソフトウェア構成及びその動作を図面を参照しながら説明する。
【００７０】
図１３は、図１の過去未来管理システム１０の主要なソフトウェア構成を示す図である。図１３を参照して、過去未来管理システム１０は、ウェブ入出力部３０、日次データ処理部３２、会員データ加工部３４、及び会員データベース３５を含む。これらの構成は、図１２のＣＰＵ１１がＨＤＤ１７に格納されたコンピュータプログラムを実行することにより実現される。
【００７１】
ウェブ入出力部３０は、パブリックサイトやパーソナルサイトを開いてユーザからのアクセスを受け付ける。記録入力画面７６を介してＰＣ５から送信される日々のデータは、このウェブ入出力部３０を介して日次データ処理部３２に与えられる。日次データ処理部３２は、与えられた日々のデータを会員データベース３５に格納する。
【００７２】
図１４は、図１３の会員データベース３５に格納された身体ファイルの例示図である。図１４を参照して、身体ファイルは、体重、血圧、身長、ウエスト、バスト、ヒップ、手首周り、二の腕周り、足首周り、大腿周り、頭囲、胸囲、座高、足のサイズ、首周り、心拍数、脈拍数、血糖値、総コレステロール値、ＬＤＬコレステロール値、体脂肪率、基礎体温、就寝時刻、起床時刻、睡眠時間、運動時間、喫煙（何本）、及び飲酒（何杯）の各項目のデータをユーザＩＤと関連付けて格納することで構成される。
【００７３】
この身体ファイルは、入力タイプ選択欄６８で「ユーザの身体に関する情報」を示すタイプが選択されている場合に入力されるデータを格納するものである。会員データベース３５には、身体ファイルの他、能力値ファイル及び消費カロリファイルが格納される。能力値ファイルは、入力タイプ選択欄６８で「ユーザの能力値」を示すタイプが選択されている場合に入力されるデータを格納するものである。消費カロリファイルは、入力タイプ選択欄６８で「ユーザの消費カロリ」を示すタイプが選択されている場合に入力されるデータを格納するものである。
【００７４】
図１５は、実施の形態による日次データ処理の流れを示すフローチャートである。図１５を参照して、ステップＳ２００にて、ウェブ入出力部３０は、ＰＣ５からのリクエスト、つまり、記録入力画面７６の書込みボタン７８が押下されたか否かを判断し、ＮＯの場合ステップＳ２００に戻り、ＹＥＳの場合ステップＳ２０２に進む。ステップＳ２０２では、ウェブ入出力部３０は、記録入力画面７６からのデータを受信して、日次データ処理部３２に与える。ステップＳ２０４にて、日次データ処理部３２は、ウェブ入出力部３０から受け取ったデータをユーザＩＤ及び年月日時と関連付けて、会員データベース３５の対応する領域に格納する。
【００７５】
図１３に戻って、会員データ加工部３４は、ウェブ入出力部３０を介してＰＣ５からリクエストを受け付けると、つまり、グラフボタン６６が押下されたことを認識すると、会員データベース３５からリクエストに応じたデータを読み出し、それをグラフに加工し、ウェブ入出力部３０に与える。ウェブ入出力部３０は、このグラフを含むグラフ画面（月グラフ画面９０又は週グラフ画面）を生成して、ＰＣ３に送信する。
【００７６】
図１６は、実施の形態による会員データ加工処理の流れを示すフローチャートである。図１６を参照して、ステップＳ２２０にて、ウェブ入出力部３０は、ＰＣ５からのリクエスト、つまり、グラフボタン６６が押下されたか否かを判断し、ＮＯの場合ステップＳ２２０に戻り、ＹＥＳの場合ステップＳ２２２に進む。ステップＳ２２２にて、ウェブ入出力部３０は、会員データ加工部３４に対して、リクエストに対応するデータの加工指示を出す。すると、会員データ加工部３４は、会員データベース３５から、対応するデータを読み出す。そして、ステップＳ２２４にて、会員データ加工部３４は、読み出したデータをグラフに加工して、ウェブ入出力部３０に与える。すると、ステップＳ２２６にて、ウェブ入出力部３０は、受け取ったグラフを含むグラフ画面（月グラフ画面９０又は週グラフ画面）を生成して、ＰＣ５に送信する。
【００７７】
さて、以上のように、本実施の形態によれば、暦（月暦画面５４、年暦画面３６、週暦画面６７、日暦画面８６）を介して日々の記録（つまり過去の情報）が蓄積され、しかも、その記録が可視化（上記例ではグラフ化）される。従って、ユーザは、直感的に自分の過去の日々の記録の推移などを認識できる。このため、ユーザは、記録の可視化によって分かったことを自分の生活に反映することができる。加えて、ユーザは、スケジューラの暦（月暦画面、年暦画面、週暦画面、日暦画面）を介して日々の予定（つまり未来の情報）を容易に把握できる。
【００７８】
また、日々の記録のための暦（月暦画面５４、年暦画面３６、週暦画面６７、日暦画面８６）とスケジューラの暦（月暦画面、年暦画面、週暦画面、日暦画面）とは、実質的に同一形式の暦であるため、双方を使うユーザにとって、使い勝手が良い。つまり、記載内容の確認やデータ（記録及び予定）の入力の利便性が高くなる。ちなみに、両者の形式が異なっている場合、例えば、日々の記録のための暦が週暦でスケジューラの暦が月暦のような場合は、利便性が良いとは言えない。
【００７９】
以上のように、ユーザは、自分の記録や予定を入力するだけで、本システムに自分自身の過去及び未来を一括して管理させることができる。
【００８０】
ここで、記録とは、ユーザに関連するあらゆる情報を意味し、それはユーザによって任意に決定されることができ、例えば、ユーザの身体（内部及び外部）に関する情報、ユーザの生活（仕事、趣味、及び生活習慣を含む。）に関する情報、ユーザに関連する物（無生物及び生物を含む。）に関する情報、等が含まれる。
【００８１】
（変形例）
【００８２】
次に、実施の形態の変形例を説明する。この変形例は、上記実施の形態の構成に加えて、ユーザの日々の食事内容を記録して、その加工結果をユーザに提供できるようにしたものである。
【００８３】
変形例におけるシステム構成、ハードウェア構成、及びソフトソフトウェア構成は、それぞれ、図１、図１２、及び図１３に記載のものと同様である。
【００８４】
図１７は、変形例における画面遷移図である。図１７を参照して、ステップＳ５００にて、ＰＣ５が図４のパブリックサイト５０を介して正当なログイン情報をセンタサーバ１へ与えると、ステップＳ５０２にて、センタサーバ１は、パーソナルサイトのトップページ１５０（図１９参照）を表示するための情報をＰＣ５に送信する。応じて、ＰＣ５は、受信した情報に基づいて、図１９のパーソナルサイトのトップページ１５０を表示する。
【００８５】
ステップＳ５０２で図１９の測定ログボタン２６が押下されると、ステップＳ５０４にて、センタサーバ１は、測定ログサイトのトップページ（つまり、図５の月暦画面５４）を表示するための情報をＰＣ５に送信する。応じて、ＰＣ５は、受信した情報に基づいて月暦画面５４を表示する。ここで、測定ログサイトにおける画面遷移は、図３の画面遷移と同様であり、説明を省略する。
【００８６】
一方、ステップＳ５０２で図１９の食事ログボタン２８が押下されると、ステップＳ５０６にて、センタサーバ１は、食事ログサイトのトップページ（つまり、図２０の月暦画面９８）を表示するための情報をＰＣ５に送信する。応じて、ＰＣ５は、受信した情報に基づいて月暦画面９８を表示する。
【００８７】
ステップＳ５０６で図２０の月暦画面９８において測定ログボタン２６が押下されると、ステップＳ５０４にて、センタサーバ１は、測定ログサイトの図５の月暦画面５４を表示するための情報をＰＣ５に送信する。応じて、ＰＣ５は、受信した情報に基づいて月暦画面５４を表示する。
【００８８】
また、ステップＳ５０４で図５の月暦画面５４において食事ログボタン２８が押下されると、ステップＳ５０６にて、センタサーバ１は、食事ログサイトの図２０の月暦画面９８を表示するための情報をＰＣ５に送信する。応じて、ＰＣ５は、受信した情報に基づいて月暦画面９８を表示する。
【００８９】
さらに、図２０の月暦画面９８（ステップＳ５０６）又は図５の月暦画面５４（ステップＳ５０４）においてカラダログのボタン７４又は１５が押下されると、ステップＳ５０２にて、センタサーバ１は、パーソナルサイトのトップページ１５０（図１９参照）を表示するための情報をＰＣ５に送信する。応じて、ＰＣ５は、受信した情報に基づいて、図１９のパーソナルサイトのトップページ１５０を表示する。
【００９０】
以下、食事ログサイトが測定ログサイトと異なる点を中心に説明する。
【００９１】
図２０を参照して、食事ログサイトの月暦画面９８は、月単位の暦（月暦）５６、６個のボタン７４、測定ログボタン２６、食事ログボタン２８、４個の暦単位切替ボタン７２、集計ボタン４２、グラフボタン４４、暦後進ボタン３７、及び暦前進ボタン３８を含む。
【００９２】
グラフボタン４４は、１月の入力データに対する図２３のグラフ画面１２４を表示するためのボタンである。集計ボタン４２は、１月の入力データに対する図２５の集計画面１３２を表示するためのボタンである。
【００９３】
日付６２は、リンクボタンであり、これが押下されると、日付６２が示す日に対応する日暦画面（図８の日暦画面８６と同様の構成）が表示される。書込みボタン６０が押下されると、図２１の記録入力画面１０４が表示される。書込み済みボタン５８は、日付６２が示す日において、すでに書込みがなされている場合に表示される。また、書込み済みボタン５８が押下されると、日暦画面が表示される。
【００９４】
日を指す暦単位切替ボタン７２が押下されると日暦画面が表示される。この日暦画面には、図８の日暦画面８６と同様に、記録入力画面１０４及び１２２で記録された情報が表示される。週を指す暦単位切替ボタン７２が押下されると週暦画面が表示される。この週暦画面には、図７の週暦画面６７と同様に、記録入力画面１０４及び１２２で記録された情報が表示される。月を指す暦単位切替ボタン７２が押下されると月暦画面９８が表示される。年を指す暦単位切替ボタン７２が押下されると年暦画面が表示される。
【００９５】
食事ログサイトにおける日暦画面、週暦画面、及び年暦画面は、それぞれ、測定ログサイトにおける図８の日暦画面８６、図７の週暦画面６７、及び図６の年暦画面３６の構成と同様である。ただし、食事ログサイトの年暦画面、週暦画面、及び日暦画面には、グラフボタン６６、入力タイプ選択欄６８、及び入力項目選択欄７０は含まれず、図２０の月暦画面９８と同じ集計ボタン４２及びグラフボタン４４が含まれる。
【００９６】
図１８は、図１７のステップＳ５０６の食事ログサイトの詳細を示す画面遷移図である。図１８の日暦画面（Ｓ６０６）と週暦画面（Ｓ６０２）と月暦画面９８（Ｓ６００）と年暦画面（Ｓ６０４）と記録入力画面１０４（Ｓ６０８）との間の遷移は、図３の日暦画面８６（Ｓ１０６）と週暦画面６７（Ｓ１０２）と月暦画面５４（Ｓ１０１）と年暦画面３６（Ｓ１０４）と記録入力画面７６（Ｓ１１２）との間の遷移と同様であり説明を省略する。
【００９７】
図１８を参照して、ステップＳ６００で月暦画面９８が表示されているとき、グラフボタン４４が押下されると、ステップＳ６１０にて、センタサーバ１は、図２３の月グラフ画面１２４を表示するための情報をＰＣ５に送信する。応じて、ＰＣ５は、月グラフ画面１２４を表示する。
【００９８】
図２３を参照して、月グラフ画面１２４は、表示切替ボタン１３０、八角形の栄養摂取レーダーチャート１２６、及び三角形の生活習慣病レーダーチャート１２８を含む。
【００９９】
栄養摂取レーダーチャート１２６は、１月間に摂取した食事に基づいて算出されたエネルギー（つまり食物の熱量（カロリ））、たんぱく質、カルシウム、鉄、ビタミンＡ、ビタミンＢ１、ビタミンＢ２、及びビタミンＣをビジュアル化したものである。ユーザは、栄養摂取レーダーチャート１２６を見ることで、その月の８つの栄養成分の摂取状況（バランス）を把握できる。
【０１００】
また、生活習慣病レーダーチャート１２８は、１月間に摂取した食事に基づいて算出された脂質、塩分（ナトリウム）、及び糖質（炭水化物）をビジュアル化したものである。ユーザは、生活習慣病レーダーチャート１２８を見ることで、その月の生活習慣病に関わる３つの成分の摂取状況を把握できる。
【０１０１】
センタサーバ１は、図２４の食事テーブルを参照して、チャート１２６及び１２８を作成する。図２４の食事テーブルは、米穀類に関するものである。同様の食事テーブルが、図２１のジャンル選択欄１０８に含まれるジャンルの数だけ用意される。また、食事テーブルのメニュー欄には、図２１の品目選択欄１１０に含まれる当該ジャンルの全品目（全ての食べ物の種類）が含まれる。
【０１０２】
図２１を参照して、記録入力画面１０４は、ユーザの日々の食事内容を入力するための画面である。記録入力画面１０４は、ジャンル選択欄１０８、品目選択欄１１０、量選択欄１１２、単位選択欄１１４、及びマニュアルボタン１１６を含む。ジャンル選択欄１０８は、食事のジャンルをプルダウンメニューとして表示する。ジャンルとして、例えば、米穀類、パン、その他の小麦、麺、セット（定食）、肉・魚介類、卵・乳製品、野菜・果物、飲物、及びお菓子などが設定される。
【０１０３】
品目選択欄１１０は、ジャンル選択欄１０８で選択された食事のジャンルに含まれる品目（食べ物の種類）をプルダウンメニューとして表示する。品目として、例えば、米穀類に対してごはん等、パンに対してぶどうパン等、その他の小麦に対してお好み焼き等、麺に対してラーメン等、セット（定食）に対して焼き魚定食等、肉・魚介類に対して焼肉等、卵・乳製品に対してオムレツ等、野菜・果物に対して漬物等、飲物に対して牛乳等、及びお菓子に対してチョコレート等が設定される。
【０１０４】
量選択欄１１２は、品目選択欄１１０で選択した品目の摂取量をプルダウンメニューで表示する。プルダウンメニューにおいて、三段階（ふつう、多め、少なめ）が用意される。単位選択欄１１４は、品目選択欄１１０で選択した品目の摂取単位（摂取数）、例えば、１，２，…をプルダウンメニューで表示する。
【０１０５】
ユーザが、ボタン７８を押下すると、各欄１０８，１１０，１１２及び１１４で選択された情報が、ＰＣ５からセンタサーバ１へ送信され、センタサーバ１は、それらの情報をユーザＩＤ及び日時と関連付けて会員データベース３５に格納する。この点、図１４の場合と同様である。
【０１０６】
マニュアルボタン１１６をユーザが押下すると、ＰＣ５には、図２２の記録入力画面１２２が表示される。記録入力画面１２２は、図２１の記録入力画面１０４の選択欄１０８及び１１０で選択すべきものが存在しない場合に、摂取した食べ物の品目等をユーザが手動で入力するための画面である。
【０１０７】
図２２を参照して、記録入力画面１２２は、書き込み欄１１８及びボタン１２０を含む。ユーザは、ＰＣ５のキーボード等の入力装置を操作して、書き込み欄１１８に所望の品目等を入力する。また、ユーザが、ボタン１２０を押下すると、図２１の記録入力画面１０４がＰＣ５に表示される。
【０１０８】
ユーザが、ボタン７８を押下すると、書き込み欄１１８に入力された情報が、ＰＣ５からセンタサーバ１へ送信され、センタサーバ１は、その情報をユーザＩＤ及び日時と関連付けて会員データベース３５に格納する。この点、図１４の場合と同様である。
【０１０９】
図２４に戻って、食事テーブルの８角形表示欄には、メニュー欄の各品目に対するチャート１２６の８つの成分が記載されている。各成分の値は、図２１の量選択欄１１２で「ふつう」を選択したときの値である。食事テーブルの３角形表示欄には、メニュー欄の各品目に対するチャート１２８の３つの成分が記載されている。各成分の値は、ユーザが図２１の量選択欄１１２で「ふつう」を選択したときの値である。
【０１１０】
センタサーバ１は、記録入力画面１０４を介して会員データベース３５に記録されたユーザの食事内容と図２４の食事テーブルを参照して、チャート１２６及び１２８を作成する。この場合、センタサーバ１は、ユーザが量選択欄１１２で「少なめ」を選択したときは、食事テーブルの各成分の値に、例えば、０．８を乗算したものを用いる。また、センタサーバ１は、ユーザが量選択欄１１２で「多め」を選択したときは、各成分の値に、例えば、１．２を乗算したものを用いる。
【０１１１】
図１８に戻って、ステップＳ６１０で月グラフ画面１２４が表示されているとき、週を示すボタン１３０が押下されると、当該月の最初の週のチャート１２６及び１２８（週チャート）を含む週グラフ画面（図示せず）を表示するための情報がセンタサーバ１からＰＣ５に送信され、その画面がＰＣ５に表示される。週グラフ画面の構成は月グラフ画面１２４の構成と同様である。
【０１１２】
ステップＳ６１２で週グラフ画面が表示されているとき、月を示すボタン１３０が押下されると、当該週を含む月のチャート１２６及び１２８（月チャート）を含む月グラフ画面１２４を表示するための情報がセンタサーバ１からＰＣ５に送信され、その画面１２４がＰＣ５に表示される。
【０１１３】
ステップＳ６１０で月グラフ画面１２４が表示されているとき、食事ログボタン２８が押下されると、月暦画面９８を表示するための情報がセンタサーバ１からＰＣ５に送信され、その画面９８がＰＣ５に表示される。
【０１１４】
さて、一方、ステップＳ６００で月暦画面９８が表示されているとき、集計ボタン４２が押下されると、ステップＳ６１０にて、センタサーバ１は、図２５の月集計画面１３２を表示するための情報をＰＣ５に送信する。応じて、ＰＣ５は、月集計画面１３２を表示する。
【０１１５】
図２５を参照して、月集計画面１３２は、ジャンル選択欄１３４、品目選択欄１３６、集計ボタン１３８、コメント欄１４０、結果欄１４２、及び表示切替ボタン１３０を含む。ジャンル選択欄１３４及び品目選択欄１３６は、それぞれ、図２１のジャンル選択欄１０８及び品目選択欄１１０と同じ構成のプルダウンメニューである。
【０１１６】
センタサーバ１は、集計ボタン１３８がユーザにより押下されたときに品目選択欄１３６で選択されている品目の１月間の集計をしてコメントを作成し、コメント欄１４０に表示する。この場合、センタサーバ１は、記録入力画面１０４を介して会員データベース３５に記録されているユーザの当該品目の１月間の情報を参照して、コメントを作成する。
【０１１７】
また、センタサーバ１は、集計ボタン１３８がユーザにより押下されたときに品目選択欄１３６で選択されている品目の１月間の集計をして、図２４の食事テーブルを参照して、当該品目の１月間の集計画像を作成し、結果欄１４２に表示する。
【０１１８】
結果欄１４２に表示される集計画像は、集計ボタン１３８がユーザにより押下されたときに品目選択欄１３６で選択されている品目に含まれる１月間の塩分、糖分、及び熱量（カロリ値）を、それぞれ、小さじの杯数、角砂糖の個数、及びご飯茶碗の杯数で表したものである。センタサーバ１は、結果欄１４２に表示する画像を図２４の食事テーブルのカウント表示欄を参照して作成する。カウント表示欄は、各品目について、塩分、その塩分が小さじ何杯に相当するか、糖分、その糖分が角砂糖の何個に相当するか、熱量、及び、その熱量が茶碗の何杯に相当するか、を記載したものである。
【０１１９】
図１８に戻って、ステップＳ６１０で月集計画面１３２が表示されているとき、週を示すボタン１３０が押下されると、当該月の最初の週のコメント欄１４０及び結果欄１４２を含む週集計画面を表示するための情報がセンタサーバ１からＰＣ５に送信され、その画面がＰＣ５に表示される。週集計画面の構成は月集計画面１３２の構成と同様である。
【０１２０】
ステップＳ６１２で週集計画面が表示されているとき、月を示すボタン１３０が押下されると、当該週を含む月のコメント欄１４０及び結果欄１４２を含む月集計画面１３２を表示するための情報がセンタサーバ１からＰＣ５に送信され、その画面１３４がＰＣ５に表示される。
【０１２１】
ステップＳ６１０で月集計画面１３２が表示されているとき、食事ログボタン２８が押下されると、月暦画面９８を表示するための情報がセンタサーバ１からＰＣ５に送信され、その画面９８がＰＣ５に表示される。
【０１２２】
月グラフ画面１２４／月集計画面１３２（Ｓ６１０）と日グラフ画面／日集計画面（Ｓ６１４）との間の遷移、月グラフ画面１２４／月集計画面１３２（Ｓ６１０）と年グラフ画面／年集計画面（Ｓ６１６）との間の遷移、日グラフ画面／日集計画面（Ｓ６１４）と週グラフ画面／週集計画面（Ｓ６１２）との間の遷移、日グラフ画面／日集計画面（Ｓ６１４）と年グラフ画面／年集計画面（Ｓ６１６）との間の遷移、及び、年グラフ画面／年集計画面（Ｓ６１６）と週グラフ画面／週集計画面（Ｓ６１２）との間の遷移は、月グラフ画面１２４／月集計画面１３２（Ｓ６１０）と週グラフ画面／日集計画面（Ｓ６１２）との間の遷移と同様であり説明を省略する。
【０１２３】
日グラフ画面及び年グラフ画面の構成は、月グラフ画面１２４の構成と同様である。日集計画面及び年集計画面の構成は、月集計画面１３２の構成と同様である。
【０１２４】
日グラフ画面／日集計画面（Ｓ６１４）と日暦画面（Ｓ６０６）との間の遷移、週グラフ画面／日集計画面（Ｓ６１２）と週暦画面（Ｓ６０２）との間の遷移、及び、年グラフ画面／日集計画面（Ｓ６１６）と年暦画面（Ｓ６０４）との間の遷移は、月グラフ画面１２４／月集計画面１３２（Ｓ６１０）と月暦画面９８（Ｓ６００）との間の遷移と同様であり説明を省略する。
【０１２５】
以上のように、変形例では、ユーザは、身体情報だけでなく、摂取した食事に関する情報をも用意に管理できるようになる。
【０１２６】
なお、本発明は、上記の実施の形態に限られるものではなく、その要旨を逸脱しない範囲で種々の態様において実施することが可能であり、例えば、以下のような変形も可能である。
【０１２７】
（１）上記では、記録入力画面７６から入力するデータのタイプとして、３つのタイプを例に挙げたがこれに限定されない。また、記録入力画面７６から入力するデータの項目として各種例に挙げたが、項目の種類及び数はこれに限定されない。例えば、通院記録、投薬記録、所定のスポーツをした時間、貯金、勉強時間、食べた物、並びに家計の支出や収入など、ユーザに関するあらゆるデータを入力項目とすることができる。また、ユーザに限らず、ユーザのペットに関するデータを入力することもできる。
【０１２８】
（２）会員データベース３５に蓄積したデータに対して統計学的処理を行って、その結果とユーザのデータとを対比した画面をＰＣ５に提供することもできる。例えば、３０歳の男性の体重の平均値を算出して、３０歳の男性ユーザに対して、その平均値を提供する。このように、統計学的な処理結果がリアルタイムで得られるので、ユーザは、正確な自分の位置づけを把握できる。ちなみに、過去に得られた統計学的な処理結果と自分のデータとを比較しても、その信頼性は、必ずしも高いとはいえない。
【０１２９】
（３）グラフ表示の仕方は、上記のものに限定されない。例えば、身体の内部に関する情報（例えば血圧）と生活習慣に関する情報（例えば喫煙）とを重ねて表示する等、データのカテゴリが異なるものを一緒に表示することも可能である。また、どのようなデータに対してどのようなグラフにするかをユーザがリクエストできるようにすることもできる。さらに、データの加工は、グラフのみに限定されない。
【図面の簡単な説明】
【０１３０】
【図１】本発明の実施の形態による過去未来管理システム１０の構成を示す図である。
【図２】図１のセンタサーバ１とＰＣ５との間の通信手順を示す図である。
【図３】実施の形態によるパーソナルサイトにおける画面遷移を示す図である。
【図４】実施の形態によるパブリックサイトのトップページ５０の例示図である。
【図５】実施の形態によるパーソナルサイトの月暦画面５４の例示図である。
【図６】実施の形態によるパーソナルサイトの年暦画面３６の例示図である。
【図７】実施の形態によるパーソナルサイトの週暦画面６７の例示図である。
【図８】実施の形態によるパーソナルサイトの日暦画面８６の例示図である。
【図９】実施の形態による記録入力画面７６の例示図である。
【図１０】実施の形態による月グラフ画面９０の例示図である。
【図１１】実施の形態による暦ページ切り替え処理の流れを示すフローチャートである。
【図１２】図１のセンタサーバ１のハードウエア構成図である。
【図１３】図１の過去未来管理システム１０の主要なソフトウェア構成を示す図である。
【図１４】図１３の会員データベース３５に格納された身体ファイルの例示図である。
【図１５】実施の形態による日次データ処理の流れを示すフローチャートである。
【図１６】実施の形態による会員データ加工処理の流れを示すフローチャートである。
【図１７】変形例における画面遷移図である。
【図１８】図１７のステップＳ５０６の食事ログサイトの詳細を示す画面遷移図である。
【図１９】パーソナルサイトのトップページ１５０の例示図である。
【図２０】食事ログサイトの月暦画面９８の例示図である。
【図２１】食事ログサイトの記録入力画面１０４の例示図である。
【図２２】食事ログサイトの記録入力画面１２２の例示図である。
【図２３】食事ログサイトのグラフ画面１２４の例示図である。
【図２４】センタサーバ１が参照する食事テーブルの例示図である。
【図２５】食事ログサイトの集計画面１３２の例示図である。
【符号の説明】
【０１３１】
１…センタサーバ、３…携帯電話、５…パーソナルコンピュータ、１０…過去未来管理システム、３０…ウェブ入出力部、３２…日次データ処理部、３４…会員データ加工部、３５…会員データベース、ＮＷ…ネットワーク。
【図１】
2008059535.tif 000003
【図２】
2008059535.tif 000004
【図３】
2008059535.tif 000005
【図１１】
2008059535.tif 000006
【図１２】
2008059535.tif 000007
【図１３】
2008059535.tif 000008
【図１４】
2008059535.tif 000009
【図１５】
2008059535.tif 000010
【図１６】
2008059535.tif 000011
【図１７】
2008059535.tif 000012
【図１８】
2008059535.tif 000013
【図２４】
2008059535.tif 000014
【図４】
2008059535.tif 000015
【図５】
2008059535.tif 000016
【図６】
2008059535.tif 000017
【図７】
2008059535.tif 000018
【図８】
2008059535.tif 000019
【図９】
2008059535.tif 000020
【図１０】
2008059535.tif 000021
【図１９】
2008059535.tif 000022
【図２０】
2008059535.tif 000023
【図２１】
2008059535.tif 000024
【図２２】
2008059535.tif 000025
【図２３】
2008059535.tif 000026
【図２５】
2008059535.tif 000027